(57)【特許請求の範囲】
【請求項１】
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体を構成する透明板に、前記図柄表示部に停止表示される前記図柄の組合わせラインに沿って延設されて、その形成面が所要の色に着色された反射面からなる溝部と、
前記各透明板における前記溝部の端部が臨む端面部に隣接して配設され、該溝部に照射光を照射可能な光源とからなり、
前記各溝部は、前記光源の近傍の端部では浅く、該光源から離間するに従って徐々に深くなるように形成され、
前記光源からの照射光が前記溝部の着色された反射面で反射し、これにより前記透視板体の表面に所要の色で明輝した該溝部が前記有効ラインとして表示されるよう構成した
ことを特徴とする図柄表示装置の有効ライン表示構造。
【請求項２】
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体を構成する略垂直な透明板の外面に、該透明板に対して直交する方向に突出すると共に前記図柄表示部に停止表示される前記図柄の組合わせラインに沿って配設され、所要の色に着色された反射面からなる溝部が延設された板状の表示部材と、
前記各透明板における前記溝部の端部が臨む端面部に隣接して配設され、該溝部に照射光を照射可能な光源とからなり、
前記各溝部は、前記光源の近傍の端部では浅く、該光源から離間するに従って徐々に深くなるように形成され、
前記光源からの照射光が前記溝部の着色された反射面で反射し、これにより前記透視板体の表面に所要の色で明輝した該溝部が前記有効ラインとして表示されるよう構成した
ことを特徴とする図柄表示装置の有効ライン表示構造。
【請求項３】
前記溝部は、前記表示部材の一方の側端面から他方の側端面に向かうにつれて前記透明板の外面に徐々に近接し、平面視において斜めの直線状に形成されている請求項２記載の図柄表示装置の有効ライン表示構造。
【請求項４】
前記反射面は、光反射率の高い塗料により着色されている請求項１〜３の何れか一項に記載の図柄表示装置の有効ライン表示構造。
【請求項５】
前記光源は紫外線照射装置であり、前記反射面は、紫外線照射装置からの紫外線の照射によって発色する紫外線発色塗料により着色されている請求項１〜３の何れか一項に記載の図柄表示装置の有効ライン表示構造。
【発明の詳細な説明】
【０００１】
【発明の属する技術分野】
この発明は、図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造に関するものである。
【０００２】
【従来の技術】
パチンコ機、スロットマシンあるいはパチンコ式スロットマシン等の遊技機では、遊技中に発生する毎回の始動および停止を含む変動制御条件に基づいて図柄組合わせゲームを展開し、特別遊技状態に係る権利とされる図柄組合わせ条件を成立表示することのできる遊技装置として、ドラム式図柄表示装置、ベルト式図柄表示装置、液晶式図柄表示装置等の各種形態の図柄表示装置が好適に採用されている。例えば図１５は、ベルト式図柄表示装置を搭載したパチンコ機の遊技盤１０を例示したもので、この遊技盤１０に搭載したベルト式図柄表示装置２０は、図１６に示すように基本的な構成として、１つの本体ケース２１内に複数基(一般的には左列、中列、右列の３基)の図柄表示ユニット２２を並列に収容セットして構成されている。各図柄表示ユニット２２は、駆動基板を兼用するセット板２３に設けた回転駆動手段２４と、この回転駆動手段２４を構成する各プーリ２５ａ,２５ｂ,２５ｃに展張掛装され、フィルム外面に色彩区分された数字、アルファベット文字、その他の図形やマーク等の各種多様な図柄２７(図１７参照)を配設した無端状の図柄ベルト２６と、位置決め検出手段２８および照明手段２９等を含めて単一にユニット化されている。そして、３基の図柄表示ユニット２２を並列に収容セットした前記本体ケース２１では、該ケース２１の前側に開口した図柄表示部３０に、夫々の図柄表示ユニット２２における図柄ベルト２６が横並び状に臨んでいる。
【０００３】
このように構成された図柄表示装置２０は、前記遊技盤１０の前面中央に組付けた大型装飾部材１１の裏側に整合するように設置固定することにより、該大型装飾部材１１に開口形成された透視窓部１２に対して前記図柄表示部３０が整合し、前記各図柄ベルト２６の前側帯部分２６ａが該透視窓部１２に臨むようになる。なお前記図柄表示装置２０では、図１７に示すように、各図柄ベルト２６毎に３コマ分の図柄２７が透視窓部１２に臨むように設定されており、これにより透視窓部１２には合計９個(３列×３段)の図柄２７が停止表示されることになる。ここで、透視窓部１２に停止表示された３列×３段で合計９個の各図柄２７により現出される図柄組合わせラインは、▲１▼各列上段に停止した夫々の図柄同士、▲２▼各列中段に停止した夫々の図柄同士、▲３▼各列下段に停止した夫々の図柄同士、▲４▼左列上段、中列中段、右列下段に停止した夫々の図柄同士、▲５▼左列下段、中列中段、右列上段に停止した夫々の図柄同士、の合計５種類となる。
【０００４】
そこで、前述した▲１▼〜▲５▼の各図柄組合わせラインを表示するために、前記大型装飾部材１１の透視窓部１２に装着された透視板体１３に、夫々の図柄組合わせラインに対応した第１〜第５の５本の有効ラインＬ１,Ｌ２,Ｌ３,Ｌ４,Ｌ５が形成されている。ちなみに、有効ラインＬ１,Ｌ２,Ｌ３が、横方向に整列する図柄組合わせラインに対応する横方向の有効ラインであり、有効ラインＬ４が、右下がりの斜め方向に整列する図柄組合わせラインに対応する右傾斜の有効ラインであり、有効ラインＬ５が、左下がりの斜め方向に整列する図柄組合わせラインに対応する左傾斜の有効ラインである(図１７参照)。
【０００５】
【発明が解決しようとする課題】
ところで、前記透視板体１３に形成した従来の有効ラインＬ１,Ｌ２,Ｌ３,Ｌ４,Ｌ５は、例えば該透視板体１３の表面に対して、適宜色調の塗料により塗装したり、シール等を貼着または蒸着したりして形成するのが一般的であった。しかしながらパチンコ機、スロットマシンあるいはパチンコ式スロットマシンでは、遊技効果や装飾効果の向上を図る目的で前記大型装飾部材１１やその近傍に、多数の装飾ランプ１４や色鮮やかな色調に塗装された装飾部材１５等が配設されているため、前記有効ラインＬ１,Ｌ２,Ｌ３,Ｌ４,Ｌ５が見え難くなって視認性が低いものとなっていた。このためパチンコ機では、図柄変動中においてリーチが発生した際等に図柄組合わせラインの図柄配列が分かり難い問題を内在している。
【０００６】
【発明の目的】
本発明は、前述した従来の技術に内在している前記課題に鑑み、これを好適に解決するべく提案されたもので、光源からの照射光を透視板体を構成する透明板に設けた輝部の着色された反射面で反射させ、これにより所要の色で明輝した該輝部で有効ラインを表示することで、該有効ラインの視認性を向上させるようにした図柄表示装置の有効ライン表示構造を提供することを目的とする。
【０００７】
【課題を解決するための手段】
前述した課題を克服し、所期の目的を好適に達成するため本発明は、
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体を構成する透明板に、前記図柄表示部に停止表示される前記図柄の組合わせラインに沿って延設されて、その形成面が所要の色に着色された反射面からなる溝部と、
前記各透明板における前記溝部の端部が臨む端面部に隣接して配設され、該溝部に照射光を照射可能な光源とからなり、
前記各溝部は、前記光源の近傍の端部では浅く、該光源から離間するに従って徐々に深くなるように形成され、
前記光源からの照射光が前記溝部の着色された反射面で反射し、これにより前記透視板体の表面に所要の色で明輝した該溝部が前記有効ラインとして表示されるよう構成したことを特徴とする。
【０００８】
また前述した課題を克服し、所期の目的を好適に達成するため本願の別の発明は、
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体を構成する略垂直な透明板の外面に、該透明板に対して直交する方向に突出すると共に前記図柄表示部に停止表示される前記図柄の組合わせラインに沿って配設され、所要の色に着色された反射面からなる溝部が延設された板状の表示部材と、
前記各透明板における前記溝部の端部が臨む端面部に隣接して配設され、該溝部に照射光を照射可能な光源とからなり、
前記各溝部は、前記光源の近傍の端部では浅く、該光源から離間するに従って徐々に深くなるように形成され、
前記光源からの照射光が前記溝部の着色された反射面で反射し、これにより前記透視板体の表面に所要の色で明輝した該溝部が前記有効ラインとして表示されるよう構成したことを特徴とする。
【０００９】
【作用】
透視板体を構成する透明板に形成した溝部に向けて光源から照射光を照射し、その形成面である反射面で反射させることで、有効ラインが表示される。前記透明板に形成した各溝部は、前記光源の近傍の端部では浅く、該光源から離間するに従って徐々に深くなるように形成されると共に、反射面が所要の色に着色されており、光源からの照射光によって所要の色で明輝した溝部が有効ラインを表示するので、該有効ラインは鮮明に表示されて視認性が向上する。
また、透視板体を構成する透明板の外面に配設された表示部材に形成した溝部に向けて光源から照射光を照射し、その形成面である反射面で反射させることで、有効ラインが表示される。前記表示部材に形成した各溝部は、前記光源の近傍の端部では浅く、該光源から離間するに従って徐々に深くなるように形成されると共に、反射面が所要の色に着色されており、光源からの照射光によって所要の色で明輝した溝部が有効ラインを表示するので、該有効ラインは鮮明に表示されて視認性が向上する。
【００１０】
前記各溝部の反射面を光反射率の高い塗料で着色することで、光源からの照射光が反射面において効率よく反射して、当該溝部に対応した有効ラインがより鮮明に明輝される。また、反射面を紫外線発色塗料で着色した場合は、紫外線照射装置から不可視光線である紫外線を溝部に照射することによって反射面が発色するから、遊技者に紫外線照射装置からの光を感じさせることなく、有効ラインが明確に表示される。
【００１１】
【発明の実施の形態】
次に、本発明に係る図柄表示装置の有効ライン表示構造につき、好適な実施例を挙げて、添付図面を参照しながら以下詳細に説明する。なお、図１５〜図１７を参照して従来の技術で説明した既出の部材等と同一の部材等に関しては、同一符号を付して説明する。
【００１２】
【第１の実施形態例】
図１〜図８は、本発明の好適な第１の実施形態例に係る図柄表示装置の有効ライン表示構造を示すものである。
この有効ライン表示構造には、透視板体３１を構成する後述の透明板３３(３３Ａ〜３３Ｄ)の外面に前記図柄表示部３０に停止表示される前記図柄２７の組合わせラインに沿って延設され、その反射面３８となる形成面が所要の色に着色された輝部としての溝部３５(３５Ａ〜３５Ｅ)と、前記透視板体３１の端面部に隣接した部位に該透視板体３１を指向した姿勢に配置され、遊技態様に対応して点灯・消灯制御される光源３２とから構成されている。すなわち第１の実施形態例の有効ライン表示構造は、例えばアクリル板やガラス板等からなる透視板体３１の端面に当てた前記光源としてのＬＥＤランプ３２等の照射光が、透視板体３１の内部を直進し、溝部３５(３５Ａ〜３５Ｅ)における境界面で全反射することで、最終的に前記端面に対向する対向面側から出るようになる所謂「エッジライト効果」を利用したものである。
【００１３】
前記透視板体３１は、同一サイズの矩形状に成形された複数枚の透明板３３(３３Ａ〜３３Ｄ)を重ね合わせて構成したもので、図１５および図１７に示した前記大型装飾部材１１の透視窓部１２に略垂直状態で装着し得るサイズに寸法設定されている。そして複数列・複数段、具体的には３列×３段で合計９個の前記図柄２７を図柄表示部３０に停止表示する前記図柄表示装置２０では、前述したように、図柄組合わせの成立ラインが合計５種類あることから、透明板３３(３３Ａ〜３３Ｄ)に対して前記第１〜第５の各有効ラインＬ１,Ｌ２,Ｌ３,Ｌ４,Ｌ５と対応する位置に溝部３５(３５Ａ〜３５Ｅ)を形成することで、透視板体３１に各有効ラインＬ１,Ｌ２,Ｌ３,Ｌ４,Ｌ５を表示可能となっている。
【００１４】
(透明板)
前記透視板体３１を構成する透明板３３(３３Ａ〜３３Ｄ)は、透明性や光線拡散性等に優れた既存のアクリル板やガラス板等であって、その裏面(図柄表示部３０を向く面)３６に前記溝部３５が形成されている。具体的には、図４(ａ)に示すように、上段の第１有効ラインＬ１に対応する横方向に延在する溝部３５Ａ、中段の第２有効ラインＬ２に対応する横方向に延在する溝部３５Ｂ、下段の第３有効ラインＬ３に対応する横方向に延在する溝部３５Ｃが夫々形成された第１の透明板３３Ａと、図４(ｂ)に示すように、正面視において右下がりに延在する第４有効ラインＬ４に対応する右傾斜の溝部３５Ｄおよび正面視において左下がりに延在する第５有効ラインＬ５に対応する左傾斜の溝部３５Ｅが交差状態で形成された第２の透明板３３Ｂと、図４(ｃ)に示すように、右下がりに延在する第４有効ラインＬ４に対応する右傾斜の溝部３５Ｄのみが形成された第３の透明板３３Ｃと、図４(ｄ)に示すように、左下がりに延在する第５有効ラインＬ５に対応する左傾斜の溝部３５Ｅのみが形成された第４の透明板３３Ｄである。従って、第１の透明板３３Ａを基本としたもとで、▲１▼当該第１の透明板３３Ａに第２の透明板３３Ｂを前後に重ね合わせたり、▲２▼同第１の透明板３３Ａに、第３の透明板３３Ｃおよび第４の透明板３３Ｄを前後に夫々重ね合わせることで、５本の有効ラインＬ１,Ｌ２,Ｌ３,Ｌ４,Ｌ５を表示し得る前記透視板体３１が構成可能となっている。なお、各透明板３３(３３Ａ〜３３Ｄ)は、図５に示す如く、その板厚Ｈが概ね３ｍｍ程度に設定されている。
【００１５】
(溝部)
前述した各溝部３５(３５Ａ〜３５Ｅ)は、図５に示すように、断面がＶ字状をなす溝であって、各透明板３３Ａ〜３３Ｄの裏面３６から最深部に向けて対向的に傾斜する反射面３８,３８で形成されている。そして、溝部３５(３５Ａ〜３５Ｅ)の形成面としての反射面３８,３８は、例えば光反射率の高い塗料により所要の色に着色されている。また各溝部３５Ａ〜３５Ｅはその深さが一定ではなく、図６に示すように、前記ＬＥＤランプ３２の近傍では浅く、ＬＥＤランプ３２から離間するに従って深くなるように設定されており、ＬＥＤランプ３２からの照射光が各反射面３８,３８に対して所要角度で到達して反射されるようになっている。ここで透明板３５の左側端面３９および右側端面４０の両方に隣接してＬＥＤランプ３２を夫々配置した照射形態の場合、各溝部３５Ａ〜３５Ｅはその中央部が最も深くなり、左端面３９および右側端面４０に向かって徐々に浅くなるよう設定される。従って各ＬＥＤランプ３２からの照射光は、対応の溝部３５Ａ〜３５Ｅにおいて着色された反射面３８,３８で反射して透明板３３Ａの表面３７の側へ出光するようになり、当該溝部３５Ａ〜３５Ｅが所要の色で明輝表示される。なお、溝部３５Ａ〜３５Ｅは、左右何れか一方の端面３９,４０から他方の端面４０,３９に向かうにつれて、その深さが徐々に変化するものであってもよい。
【００１６】
(光源)
前記光源３２は、前述した如く、前記第１の透明板３３Ａ〜第４の透明板３３Ｄの板厚と同程度の直径を有し、前方指向性の高い照射光を発光する公知のＬＥＤランプが好適に採用され、小型ながらも溝部３５Ａ,３５Ｂ,３５Ｃ,３５Ｄ,３５Ｅの各反射面３８,３８を好適に照射可能となっている。この光源としてのＬＥＤランプ３２は、前記透視板体３１の左側端面３９および／または右側端面４０に対して上下所要間隔毎に複数個配置されると共に、対応の溝部３５Ａ〜３５Ｅの延在方向に沿う向きに角度調整されており、これらＬＥＤランプ３２からの照射光が前記溝部３５Ａ,３５Ｂ,３５Ｃ,３５Ｄ,３５Ｅの反射面３８,３８に対して所要角度で到達するように設定されている。また各ＬＥＤランプ３２は、図示しないランプ制御部により、夫々が個別に点灯・消灯制御され得るようになっている。なお、ＬＥＤランプ３２は、赤色、青色、緑色、黄色、白色、橙色等の種々の発光色のものがあるが、実施形態例では白色のものが採用される。
【００１７】
次に、前述のような各構成部材からなる第１の実施形態例の図柄表示装置の有効ライン表示構造につき、具体的な実施例をもとに説明する。
【００１８】
【第１実施例】
図１は、第１実施例に係る図柄表示装置の有効ライン表示構造を示した概略斜視図であって、この第１実施例では、図２に示すように、前記第１の透明板３３Ａと第２の透明板３３Ｂを前後に重ね合わせ、２枚の透明板３３Ａ,３３Ｂで前記透視板体３１を構成したタイプである。前述した如く、第１の透明板３３Ａには、第１有効ラインＬ１に対応する上段の溝部３５Ａ、第２有効ラインＬ２に対応する中段の溝部３５Ｂ、第３有効ラインＬ３に対応する下段の溝部３５Ｃが形成され、また第２の透明板３３Ｂには、第４有効ラインＬ４に対応する右傾斜の溝部３５Ｄおよび第５有効ラインＬ５に対応する左傾斜の溝部３５Ｅが交差状態で形成されている。従って、当該第１の透明板３３Ａと第２の透明板３３Ｂとを整列状態で前後に重ね合わせることにより、有効ラインＬ１,Ｌ２,Ｌ３,Ｌ４,Ｌ５に対応する５本の溝部３５Ａ,３５Ｂ,３５Ｃ,３５Ｄ,３５Ｅが設けられた透視板体３１が構成される。
【００１９】
また、前記第１の透明板３３Ａおよび第２の透明板３３Ｂには、図１に示す如く、各左側端面３９と右側端面４０とに隣接した部位に、前記ＬＥＤランプ３２(３２ａ〜３２ｊ)がその投光部を第１の透明板３３Ａまたは第２の透明板３３Ｂに指向させた状態で上下所要間隔毎に配置されている。具体的に第１の透明板３３Ａでは、左右上段において水平方向に配置された各ＬＥＤランプ３２ａ,３２ｂが、第１有効ラインＬ１に対応する溝部３５Ａに整合してこれを照射し、左右中段に水平方向に配置された各ＬＥＤランプ３２ｃ,３２ｄが、第２有効ラインＬ２に対応する溝部３５Ｂに整合してこれを照射し、更に、左右下段に水平方向に配置された各ＬＥＤランプ３２ｅ,３２ｆが、第３有効ラインＬ３に対応する前記溝部３５Ｃに整合してこれを照射するようになっている。一方、第２の透明板３３Ｂでは、左上段に右下がり傾斜状に配置されたＬＥＤランプ３２ｇおよび右下段に左上がり傾斜状に配置されたＬＥＤランプ３２ｈが、第４有効ラインＬ４に対応する前記溝部３５Ｄを照射し、右上段に左下がり傾斜状に配置されたＬＥＤランプ３２ｉおよび左下段に右上がり傾斜状に配置されたＬＥＤランプ３２ｊが、第５有効ラインＬ５に対応する前記溝部３５Ｅを照射するよう構成されている。
【００２０】
このように構成された第１実施例に係る図柄表示装置の有効ライン表示構造では、当該図柄表示装置２０が搭載されたパチンコ機やスロットマシン等の遊技態様に応じて、図示しないランプ制御部が前記各ＬＥＤランプ３２(３２ａ〜３２ｊ)を個別に点灯・消灯制御し、これらＬＥＤランプ３２ａ〜３２ｊが点灯制御された際には、その照射光が対応の溝部３５Ａ,３５Ｂ,３５Ｃ,３５Ｄ,３５Ｅの反射面３８,３８で反射し、これらが前記透視板体３１の表面３７に有効ラインＬ１,Ｌ２,Ｌ３,Ｌ４,Ｌ５として表示される。例えば、前記ＬＥＤランプ３２ａ,３２ｂが点灯制御された際には、所要の色に着色された反射面３８,３８によって溝部３５Ａが明輝して第１有効ラインＬ１が鮮明に表示され、前記ＬＥＤランプ３２ｃ,３２ｄが点灯制御された際には、所要の色に着色された反射面３８,３８によって溝部３５Ｂが明輝して第２有効ラインＬ２が鮮明に表示され、また前記ＬＥＤランプ３２ｅ,３２ｆが点灯制御された際には、所要の色に着色された反射面３８,３８によって溝部３５Ｃが明輝して第３有効ラインＬ３が鮮明に表示される。
【００２１】
更に、前記ＬＥＤランプ３２ｇ,３２ｈが点灯制御された際には、所要の色に着色された反射面３８,３８によって溝部３５Ｄが明輝して第４有効ラインＬ４が鮮明に表示され、前記ＬＥＤランプ３２ｉ,３２ｊが点灯制御された際には、所要の色に着色された反射面３８,３８によって溝部３５Ｅが明輝して第５有効ラインＬ５が鮮明に表示される。各有効ラインＬ１〜Ｌ５を表示する溝部３４Ａ〜３５Ｅの反射面３８,３８は所要の色に着色されているから、ＬＥＤランプ３２ａ〜３２ｊからの照射光により反射面３８,３８は所要の色に明輝し、これによって各有効ラインＬ１〜Ｌ５も所要の色で明輝した反射面３８,３８により鮮やかに表示される。この場合に、反射面３８の着色を光反射率の高い塗料を用いて行なえば、ＬＥＤランプ３２ａ〜３２ｊからの照射光が反射面(着色部)３８で効率良く反射して、有効ラインＬ１〜Ｌ５をより鮮明に表示することができる。また、各溝部３５Ａ〜３５Ｅにおける反射面３８の色を変えることで、各有効ラインＬ１〜Ｌ５を異なる色で表示することができる。
【００２２】
なお、前記ＬＥＤランプ３２ａ〜３２ｊに代えて、紫外線照射装置を用いると共に、前記反射面３８を紫外線の照射によって発色する紫外線発色塗料により着色するようにしてもよい。この場合は、紫外線照射装置から照射される不可視光線である紫外線により反射面が発色するから、遊技者に紫外線照射装置からの光を感じさせることなく、有効ラインＬ１〜Ｌ５を明確に表示することができる。すなわち、今までのように光源の所在が分かっている遊技機とは異なる、一種独特の雰囲気を醸し出すことができ、より興趣を増すことが可能となる。
【００２３】
そして第１実施例の有効ライン表示構造では、第１の透明板３３Ａおよび第２の透明板３３Ｂの２枚を重ね合わせることで、合計５本の各有効ラインＬ１,Ｌ２,Ｌ３,Ｌ４,Ｌ５を表示することが可能である。従って、各透明板毎に１つの有効ラインを設ける場合(５本の有効ラインＬ１〜Ｌ５を設ける場合は５枚の透明板が必要)と比較すると、透視板体３１の厚みを格段に小さく抑えることができるから(図３参照)、図柄表示部３０に停止表示される各図柄２７が歪んで見える等の透視弊害が生ずることがなく、また部材点数の増加に伴うコストアップを招来することもない。
【００２４】
【第１実施例の変更例】
図７は、第１実施例に係る有効ライン表示構造の変更例を示す概略斜視図であって、前記第１の透明板３３Ａと、第３の透明板３３Ｃおよび第４の透明板３３Ｄを前後に重ね合わせ、３枚の透明板３３Ａ,３３Ｃ,３３Ｄで前記透視板体３１を構成したタイプである。前述した如く、第１の透明板３３Ａには、第１、第２および第３の各有効ラインＬ１,Ｌ２,Ｌ３に対応する溝部３５Ａ,３５Ｂ,３５Ｃが形成されている。また第３の透明板３３Ｃには、第４有効ラインＬ４に対応する右傾斜の溝部３５Ｄのみが形成され、第４の透明板３３Ｄには、第５有効ラインＬ５に対応する左傾斜の溝部３５Ｅのみが形成されている。従って、図８に示すように、これら３枚の各透明板３３Ａ,３３Ｃ,３３Ｄを整列状態で前後に重ね合わせることにより、５本の各有効ラインＬ１,Ｌ２,Ｌ３,Ｌ４,Ｌ５に対応する５本の溝部３５Ａ,３５Ｂ,３５Ｃ,３５Ｄ,３５Ｅを設けた透視板体３１が構成される。
【００２５】
また前記第１の透明板３３Ａと第３の透明板３３Ｃと第４の透明板３３Ｄの各透明板における左側端面３９および右側端面４０に隣接した部位に、夫々の透明板３３Ａ,３３Ｃ,３３Ｄを指向した姿勢の前記ＬＥＤランプ３２(３２ａ〜３３ｊ)が、上下所要間隔毎に配置されている。具体的に第１の透明板３３Ａでは、図７に示す如く、左右上段に水平方向に配置されたＬＥＤランプ３２ａ,３２ｂが第１有効ラインＬ１に対応する溝部３５Ａに整合してこれを照射し、左右中段に水平方向に配置された各ＬＥＤランプ３２ｃ,３２ｄが第２有効ラインＬ２に対応する溝部３５Ｂに整合してこれを照射し、左右下段に水平方向に配置された各ＬＥＤランプ３２ｅ,３２ｆが第３有効ラインＬ３に対応する溝部３５Ｃに整合してこれを照射するよう構成される。一方第３の透明板３３Ｃでは、左上段に右下がり傾斜状に配置されたＬＥＤランプ３２ｇおよび右下段に左上がり傾斜状に配置されたＬＥＤランプ３２ｈが、第４有効ラインＬ４に対応する溝部３５Ｄを照射し、更に第４の透明板３３Ｄでは、右上段に左下がり傾斜状に配置されたＬＥＤランプ３２ｉおよび左下段に右上がり傾斜状に配置されたＬＥＤランプ３２ｊが、第５有効ラインＬ５に対応する溝部３５Ｅを照射するよう設定されている。
【００２６】
このように構成された第１実施例の変更例に係る図柄表示装置の有効ライン表示構造では、当該図柄表示装置２０が搭載されたパチンコ機やスロットマシン等の遊技態様に応じて、図示しないランプ制御部が前記各ＬＥＤランプ３２(３２ａ〜３２ｊ)を個別に点灯・消灯制御し、これらＬＥＤランプ３２ａ〜３２ｊが点灯制御された際には該ＬＥＤランプ３２ａ〜３２ｊからの照射光が対応の溝部３５Ａ,３５Ｂ,３５Ｃ,３５Ｄ,３５Ｅの反射面３８,３８で反射し、これにより明輝した該溝部３５Ａ,３５Ｂ,３５Ｃ,３５Ｄ,３５Ｅが前記透視板体３１の表面３７に有効ラインＬ１,Ｌ２,Ｌ３,Ｌ４,Ｌ５として表示される。例えば、ＬＥＤランプ３２ａ,３２ｂが点灯制御された際には溝部３５Ａが明輝して第１有効ラインＬ１が鮮明に表示され、前記ＬＥＤランプ３２ｃ,３２ｄが点灯制御された際には溝部３５Ｂが明輝して第２有効ラインＬ２が鮮明に表示され、また前記ＬＥＤランプ３２ｅ,３２ｆが点灯制御された際には溝部３５Ｃが明輝して第３有効ラインＬ３が鮮明に表示される。更に前記ＬＥＤランプ３２ｇ,３２ｈが点灯制御された際には溝部３５Ｄが明輝して第４有効ラインＬ４が鮮明に表示され、前記ＬＥＤランプ３２ｉ,３２ｊが点灯制御された際には溝部３５Ｅが明輝して第５有効ラインＬ５が鮮明に表示される。
【００２７】
そして第１実施例の変更例に係る有効ライン表示構造では、第１、第３および第４の３枚の透明板３３Ａ,３３Ｃ,３３Ｄを整列状態で重ね合わせることにより、合計５本の有効ラインＬ１,Ｌ２,Ｌ３,Ｌ４,Ｌ５を表示することが可能である。従って、各透明板毎に１つの有効ラインを設ける場合(５本の有効ラインＬ１〜Ｌ５を設ける場合は５枚の透明板が必要)と比較すると、透視板体３１の厚みをかなり小さく抑えることができるから、図柄表示部３０に停止表示される各図柄２７が歪んで見える等の透視弊害が生ずることがなく、また部材点数の増加に伴うコストアップを招来することもない。更に溝部３５Ｄと溝部３５Ｅとは、第３の透明板３３Ｃおよび第４の透明板３３Ｄに別々に形成されてクロスしないと共に別々のＬＥＤランプ３２で照射されるから、夫々が鮮明に明輝されて第４有効ラインＬ４と第５有効ラインＬ５とが適切かつ鮮明に区分表示される。しかも、各溝部３５Ａ,３５Ｂ,３５Ｃ,３５Ｄ,３５Ｅ全体が反射面３８に施された着色によって鮮やかに明輝するので、夫々に対応した各有効ラインＬ１,Ｌ２,Ｌ３,Ｌ４,Ｌ５が鮮明に表示される。
【００２８】
【第２の実施形態例】
図９〜図１４は、本発明の好適な第２の実施形態例に係る図柄表示装置の有効ライン表示構造を示すものである。なお、第１の実施形態例に既出の同一部材、部位には、同じ符号を付して示すものとする。
この有効ライン表示構造では、透視板体３１を構成する透明板３３(３３Ａ〜３３Ｄ)の裏側の板面(外面)に、該板面に対して直交する方向に突出すると共に前記図柄表示部３０に停止表示される前記図柄２７の組合わせラインに沿って延在するよう表示部材３４が配設される。そして、表示部材３４には、所要の色に着色された複数の反射面３８から形成された輝部としての溝部３５(３５Ａ〜３５Ｅ)が設けられている。また、表示部材３４の端面部に隣接した部位に、該表示部材３４を指向した姿勢で光源としてのＬＥＤランプ３２が配設され、このＬＥＤランプ３２が、遊技態様に対応して点灯・消灯制御されるよう構成してある。なお、表示部材３４は、透明板３３と同じく、例えばアクリル板やガラス板等を材料として形成される。
【００２９】
前記透明板３３(３３Ａ〜３３Ｄ)の構成を具体的に述べれば、図１１に示すように、上段の第１有効ラインＬ１、中段の第２有効ラインＬ２および下段の第３有効ラインＬ３と対応する各位置に表示部材３４を水平状態で配設することで、３枚の表示部材３４を上下方向に離間して並列に備えた第１の透明板３３Ａ(図１１(ａ))と、第４および第５の各有効ラインＬ４,Ｌ５に対応する各位置に表示部材３４を正面視において右下がりおよび左下がりの状態で配設することで、交差状態の２枚の表示部材３４,３４を備えた第２の透明板３３Ｂ(図１１(ｂ))と、第４有効ラインＬ４に対応する位置に、正面視において右下がり状態の１枚の表示部材３４を配設した第３の透明板３３Ｃ(図１１(ｃ))と、第５有効ラインＬ５に対応する位置に、正面視において左下がり状態の１枚の表示部材３４を配設した第４の透明板３３Ｄ(図１１(ｄ))等が実施され得る。従って第１の透明板３３Ａを基本としたもとで、▲１▼当該第１の透明板３３Ａに第２の透明板３３Ｂを前後に重ね合わせたり、▲２▼同第１の透明板３３Ａに、第３の透明板３３Ｃおよび第４の透明板３３Ｄを前後に夫々重ね合わせることで、５本の有効ラインＬ１,Ｌ２,Ｌ３,Ｌ４,Ｌ５を表示可能な前記透視板体３１が構成可能となっている。
【００３０】
(溝部)
前記夫々の表示部材３４に形成された溝部３５(３５Ａ〜３５Ｅ)は、上側に開口する断面がＶ字状をなす溝であって、各表示部材３４の表面から最深部に向けて対向的に傾斜する反射面３８,３８は、前述した第１実施例の場合と同様に、所要の色で着色されている。そして、第１の透明板３３Ａに設けた溝部３５Ａ,３５Ｂ,３５Ｃは、図１２に示すように、平面視において右側端面４０から左側端面３９に向かうにつれて前方(透明板側に近接するよう)に傾斜するよう形成されており、また第２の透明板３３Ｂ〜第４の透明板３３Ｄに設けた溝部３５Ｄおよび溝部３５Ｅは、平面視において左側端面３９から右側端面４０に向かうにつれて前方(透明板側に近接するよう)に傾斜するよう形成されており、ＬＥＤランプ３２からの照射光が反射面３８,３８に対して所要角度で到達して反射され得るように設定されている。従って各ＬＥＤランプ３２からの照射光は、対応の溝部３５Ａ〜３５Ｅにおける反射面３８,３８で反射して透明板３３Ａ〜３３Ｄの表面３７の側へ出光するようになり、当該溝部３５Ａ〜３５Ｅが明輝表示される。なお、各溝部３５Ａ〜３５Ｅの傾斜向きは図示例とは逆であってもよく、また全ての溝部３５Ａ〜３５Ｅが同一方向に傾斜していてもよい。また、各溝部３５Ａ〜３５Ｅは、中央部が最も前面側に偏倚し、左側端面３９および右側端面４０に向かって徐々に背面側に後退するよう、平面視でＶ字状を呈するよう形成してもよい。
【００３１】
(光源)
前記光源３２は、前記表示部材３４の板厚と同程度の直径を有するＬＥＤランプが好適に採用され、このＬＥＤランプ３２(３２ａ〜３２ｊ)は、各透明板３３Ａ〜３３Ｄに配設された各表示部材３４の左側端面３９と右側端面４０とに隣接した部位において、その投光部を表示部材３４に指向させた状態で配置されている。なお、各ＬＥＤランプ３２の制御や発光色等は、前述した第１の実施形態例と同様である。
【００３２】
次に、前述のような各構成部材からなる第２の実施形態例の図柄表示装置の有効ライン表示構造につき、具体的な実施例をもとに説明する。
【００３３】
【第２実施例】
図９は、第２実施例に係る図柄表示装置の有効ライン表示構造を示した概略斜視図であって、この第２実施例では、図１０に示すように、前記第１の透明板３３Ａと第２の透明板３３Ｂを前後に重ね合わせ、２枚の透明板３３Ａ,３３Ｂで前記透視板体３１を構成したタイプである。前述したように第１の透明板３３Ａには、第１、第２および第３の各有効ラインＬ１,Ｌ２,Ｌ３に対応する各溝部３５Ａ,３５Ｂ,３５Ｃを形成した表示部材３４が夫々配設されており、また第２の透明板３３Ｂには、第４有効ラインＬ４および第５有効ラインＬ５に対応する各溝部３５Ｄ,３５Ｅを形成した表示部材３４が交差状態で配設されている。すなわち、２枚の各透明板３３Ａ,３３Ｂを前後に重ね合わせるだけで、５本の各有効ラインＬ１,Ｌ２,Ｌ３,Ｌ４,Ｌ５に対応する５本の溝部３５Ａ,３５Ｂ,３５Ｃ,３５Ｄ,３５Ｅを設けた透視板体３１が構成される。
【００３４】
また、前記第１の透明板３３Ａおよび第２の透明板３３Ｂには、図９に示す如く、左右の側端部に隣接した部位において、前記ＬＥＤランプ３２(３２ａ〜３２ｊ)がその投光部を当該第１の透明板３３Ａ,第２の透明板３３Ｂに指向させた状態で上下所要間隔毎に配設されている。具体的に第１の透明板３３Ａでは、左右上段において水平方向に配置された各ＬＥＤランプ３２ａ,３２ｂが、第１有効ラインＬ１に対応する溝部３５Ａが形成された表示部材３４に整合してこれを照射し、左右中段において水平方向に配置された各ＬＥＤランプ３２ｃ,３２ｄが、第２有効ラインＬ２に対応する溝部３５Ｂが形成された表示部材３４に整合してこれを照射し、更に、左右下段において水平方向に配置された各ＬＥＤランプ３２ｅ,３２ｆが、第３有効ラインＬ３に対応する溝部３５Ｃが形成された表示部材３４に整合してこれを照射するようになっている。一方、第２の透明板３３Ｂでは、左上段に右下がり傾斜状に配置されたＬＥＤランプ３２ｇおよび右下段に左上がり傾斜状に配置されたＬＥＤランプ３２ｈが、第４有効ラインＬ４に対応する溝部３５Ｄが形成された表示部材３４を照射し、右上段に左下がり傾斜状に配置されたＬＥＤランプ３２ｉおよび左下段に右上がり傾斜状に配置されたＬＥＤランプ３２ｊが、第５有効ラインＬ５に対応する溝部３５Ｅが形成された表示部材３４を照射するようになっている。
【００３５】
このように構成された第２実施例に係る図柄表示装置の有効ライン表示構造では、第１実施例と同様に、当該図柄表示装置２０が搭載されたパチンコ機やスロットマシン等の遊技態様に応じて、図示しないランプ制御部が前記各ＬＥＤランプ３２(３２ａ〜３２ｊ)を個別に点灯・消灯制御し、これらＬＥＤランプ３２ａ〜３２ｊが点灯制御された際には該ＬＥＤランプ３２ａ〜３２ｊからの照射光が対応の溝部３５Ａ,３５Ｂ,３５Ｃ,３５Ｄ,３５Ｅの反射面３８,３８で反射し、これにより明輝した該溝部３５Ａ,３５Ｂ,３５Ｃ,３５Ｄ,３５Ｅが前記透視板体３１の表面３７に有効ラインＬ１,Ｌ２,Ｌ３,Ｌ４,Ｌ５として表示される。例えば、ＬＥＤランプ３２ａ,３２ｂが左右上段に配設した表示部材３４に向けて点灯制御された際には、所要の色に着色された反射面３８,３８によって溝部３５Ａが明輝して第１有効ラインＬ１が鮮明に表示され、前記ＬＥＤランプ３２ｃ,３２ｄが左右中段に配設した表示部材３４に向けて点灯制御された際には、所要の色に着色された反射面３８,３８によって溝部３５Ｂが明輝して第２有効ラインＬ２が鮮明に表示され、また前記ＬＥＤランプ３２ｅ,３２ｆが左右下段に配設した表示部材３４に向けて点灯制御された際には、所要の色に着色された反射面３８,３８によって溝部３５Ｃが明輝して第３有効ラインＬ３が鮮明に表示される。更に前記ＬＥＤランプ３２ｇ,３２ｈが右下がり傾斜状に配設した表示部材３４に向けて点灯制御された際には、所要の色に着色された反射面３８,３８によって溝部３５Ｄが明輝して第４有効ラインＬ４が鮮明に表示され、前記ＬＥＤランプ３２ｉ,３２ｊが左下がり傾斜状に配設した表示部材３４に向けて点灯制御された際には、所要の色に着色された反射面３８,３８によって溝部３５Ｅが明輝して第５有効ラインＬ５が鮮明に表示される。
【００３６】
第２実施例の場合も、前記第１実施例と同様に、各有効ラインＬ１〜Ｌ５を表示する溝部３４Ａ〜３５Ｅの反射面３８,３８は所要の色に着色されているから、ＬＥＤランプ３２ａ〜３２ｊからの照射光により反射面３８,３８は所要の色に明輝し、これによって各有効ラインＬ１〜Ｌ５も所要の色で明輝した反射面３８,３８により鮮やかに表示される。また第２実施例においても、第１の透明板３３Ａと第２の透明板３３Ｂを重ね合わせることで、合計５本の各有効ラインＬ１,Ｌ２,Ｌ３,Ｌ４,Ｌ５を表示することが可能である。従って、各透明板毎に１つの有効ラインを設ける場合(５本の有効ラインＬ１〜Ｌ５を設ける場合は５枚の透明板が必要)と比較すると、透視板体３１の厚みをかなり小さく抑えることができるから、図柄表示部３０に停止表示される各図柄２７が歪んで見える等の透視弊害が生ずることがなく、また部材点数の増加に伴うコストアップを招来することもない。
【００３７】
なお、第２実施例においても、前記反射面３８の着色を、光反射率の高い塗料で行なったり、あるいは紫外線発色塗料で着色すると共に光源として紫外線照射装置を用いることができる。
【００３８】
【第２実施例の変更例】
図１３は、第２実施例に係る有効ライン表示構造の変更例を示す概略斜視図であって、前記第１の透明板３３Ａと第３の透明板３３Ｃおよび第４の透明板３３Ｄとを前後に重ね合わせ、３枚の透明板３３Ａ,３３Ｃ,３３Ｄで前記透視板体３１を構成したタイプである。前述したように第１の透明板３３Ａには、第１、第２および第３の各有効ラインＬ１,Ｌ２,Ｌ３に対応する各溝部３５Ａ,３５Ｂ,３５Ｃを形成した表示部材３４が夫々配設されており、また第３の透明板３３Ｃには、第４有効ラインＬ４に対応する溝部３５Ｄを形成した表示部材３４が配設され、更に第４の透明板３３Ｄには、第５有効ラインＬ５に対応する溝部３５Ｅを形成した表示部材３４が配設されている。すなわち図１４に示すように、３枚の各透明板３３Ａ,３３Ｃ,３３Ｄを前後に重ね合わせるだけで、５本の各有効ラインＬ１,Ｌ２,Ｌ３,Ｌ４,Ｌ５に対応する５本の溝部３５Ａ,３５Ｂ,３５Ｃ,３５Ｄ,３５Ｅを設けた透視板体３１が構成される。
【００３９】
また第１の透明板３３Ａと第３の透明板３３Ｃおよび第４の透明板３３Ｄにおける左右両端部に隣接した部位に、夫々の透明板３３Ａ,３３Ｃ,３３Ｄを指向した姿勢の前記ＬＥＤランプ３２(３２ａ〜３３ｊ)が、上下所要間隔毎に配置されている。具体的に第１の透明板３３Ａでは、図１３に示す如く、左右上段に水平方向で配置された各ＬＥＤランプ３２ａ,３２ｂが、第１有効ラインＬ１に対応する前記溝部３５Ａを形成した表示部材３４に整合して該溝部３５Ａを照射する。また左右中段に水平方向に配置された各ＬＥＤランプ３２ｃ,３２ｄが、第２有効ラインＬ２に対応する前記溝部３５Ｂを形成した表示部材３４に整合して該溝部３５Ｂを照射し、更に左右下段に水平方向に配置された各ＬＥＤランプ３２ｅ,３２ｆが、第３有効ラインＬ３に対応する前記溝部３５Ｃを形成した表示部材３４に整合して該溝部３５Ｃを照射する。一方、第３の透明板３３Ｃでは、左上段に右下がり傾斜状に配置されたＬＥＤランプ３２ｇおよび右下段に左上がり傾斜状に配置されたＬＥＤランプ３２ｈが、第４有効ラインＬ４に対応する前記溝部３５Ｄを形成した表示部材３４を照射し、更に第４の透明板３３Ｄでは、右上段に左下がり傾斜状に配置されたＬＥＤランプ３２ｉおよび左下段に右上がり傾斜状に配置されたＬＥＤランプ３２ｊが、第５有効ラインＬ５に対応する前記溝部３５Ｅを形成した表示部材３４を照射する。
【００４０】
このように構成された第２実施例の変更例に係る図柄表示装置の有効ライン表示構造では、当該図柄表示装置２０が搭載されたパチンコ機やスロットマシン等の遊技態様に応じて、図示しないランプ制御部が前記各ＬＥＤランプ３２(３２ａ〜３２ｊ)を個別に点灯・消灯制御し、これらＬＥＤランプ３２ａ〜３２ｊが点灯制御された際には該ＬＥＤランプ３２ａ〜３２ｊからの照射光が対応の表示部材３４に設けた溝部３５Ａ,３５Ｂ,３５Ｃ,３５Ｄ,３５Ｅの反射面３８,３８で反射し、これにより明輝した該溝部３５Ａ,３５Ｂ,３５Ｃ,３５Ｄ,３５Ｅが前記透視板体３１の表面３７に有効ラインＬ１,Ｌ２,Ｌ３,Ｌ４,Ｌ５として表示される。例えば、前記ＬＥＤランプ３２ａ,３２ｂが点灯制御された際には溝部３５Ａが明輝して第１有効ラインＬ１が鮮明に表示され、前記ＬＥＤランプ３２ｃ,３２ｄが点灯制御された際には溝部３５Ｂが明輝して第２有効ラインＬ２が鮮明に表示される。また前記ＬＥＤランプ３２ｅ,３２ｆが点灯制御された際には、溝部３５Ｃが明輝して第３有効ラインＬ３が鮮明に表示され、前記ＬＥＤランプ３２ｇ,３２ｈが点灯制御された際には溝部３５Ｄが明輝して第４有効ラインＬ４が鮮明に表示され、更に前記ＬＥＤランプ３２ｉ,３２ｊが点灯制御された際には、溝部３５Ｅが明輝して第５有効ラインＬ５が鮮明に表示されるようになっている。
【００４１】
そしてこの場合では、第１の透明板３３Ａと第３の透明板３３Ｃおよび第４の透明板３３Ｄを重ね合わせることで、合計５本の各有効ラインＬ１,Ｌ２,Ｌ３,Ｌ４,Ｌ５を表示することが可能である。従って、各透明板毎に１つの有効ラインを設ける場合(５本の有効ラインＬ１〜Ｌ５を設ける場合は５枚の透明板が必要)と比較すると、透視板体３１の厚みをかなり小さく抑えることができるから、図柄表示部３０に停止表示される各図柄２７が歪んで見える等の透視弊害が生ずることがなく、また部材点数の増加に伴うコストアップを招来することもない。更に溝部３５Ｄと溝部３５Ｅとは、第３の透明板３３Ｃに配設した表示部材３４および第４の透明板３３Ｄに配設した表示部材３４に別々に形成されてクロスしない状態で別々のＬＥＤランプ３２によって照射されるから、夫々が鮮明に明輝されて第４有効ラインＬ４と第５有効ラインＬ５とが適切かつ鮮明に区分表示される。しかも、各溝部３５Ａ,３５Ｂ,３５Ｃ,３５Ｄ,３５Ｅ全体が反射面３８に着色された色によって鮮やかに明輝するので、夫々に対応した各有効ラインＬ１,Ｌ２,Ｌ３,Ｌ４,Ｌ５が鮮明に表示される。
【００４２】
【変形例】
前記各ＬＥＤランプ３２で対応の溝部３５Ａ,３５Ｂ,３５Ｃ,３５Ｄ,３５Ｅを照射することにより第１〜第５の有効ラインＬ１,Ｌ２,Ｌ３,Ｌ４,Ｌ５を表示するタイミングや態様等は、パチンコ機、スロットマシンあるいはパチンコ式スロットマシンの遊技態様に依存するものであって各遊技機毎に異なっている。例えばパチンコ機では、図柄変動遊技中にリーチ状態となった際に、前記複数のＬＥＤランプ３２を自動的に選択して点灯制御することで、特定の図柄組合わせが成立する可能性のある図柄配列を有効ラインＬ１,Ｌ２,Ｌ３,Ｌ４,Ｌ５で好適に表示することが可能である。また、スロットマシンあるいはパチンコ式スロットマシンでは、遊技機使用権利媒体であるコインやパチンコ球の投入数量に応じて、前記複数のＬＥＤランプ３２を自動的に選択して点灯制御することで、表示する有効ラインＬ１,Ｌ２,Ｌ３,Ｌ４,Ｌ５の数を選択し得る。
【００４３】
前述した第１実施例、第２実施例および夫々の変更例における各有効ライン表示構造において、各溝部３５Ａ〜３５Ｅにおける一方の側端部に複数個のＬＥＤランプ３２を配置して、各有効ラインＬ１,Ｌ２,Ｌ３,Ｌ４,Ｌ５を表示するよう構成してもよい。この場合は、夫々のＬＥＤランプ３２の点灯タイミングや点灯時間等を変化させることにより、例えば光が有効ラインＬ１,Ｌ２,Ｌ３,Ｌ４,Ｌ５上を移動する如く見えるようにしたり、点滅して見えるようにする等の多様なライン表示が可能となる。また、第１実施例、第２実施例および夫々の変更例では、各透明板３３(３３Ａ,３３Ｂ,３３Ｃ,３３Ｄ)の左側端面３９および右側端面４０の近傍にＬＥＤランプ３２を夫々配置した場合を例示したが、左側端面３９または右側端面４０の何れか一方にのみＬＥＤランプ３２を配置するようにしてもよい。
【００４４】
前記各溝部３５Ａ,３５Ｂ,３５Ｃ,３５Ｄ,３５Ｅは、実施例に示した断面Ｖ字状に限定されるものではなく、ＬＥＤランプ３２からの照射光を適切に反射し得れば、例えば断面コ字状あるいはＵ字状等であってもよい。また第２実施例やその変更例では、表示部材３４の上面側に溝部３５を形成したが、該表示部材３４の下面側に形成してもよく、あるいは上下両面に形成する構成を採用し得る。更に、透明板３３Ａ〜３３Ｄまたは表示部材３４に形成される輝部は、溝部でなく、対応する有効ラインに沿って延在するよう外側に突出する突条部を採用することも可能であり、該突条部を形成する複数の形成面を着色することで有効ラインを鮮明に表示することができる。なお、突条部の形状に関しても、三角形や四角形等、各種の形状を採用し得る。
【００４５】
前記実施例や変更例では、透視板体３１に５本の有効ラインＬ１,Ｌ２,Ｌ３,Ｌ４,Ｌ５を設けることを前提に説明したが、該透視板体３１に４本以下または６本以上の有効ラインを設けることも可能である。何れの場合でも、有効ラインの数より少ない枚数の透明板を使用することで全ての有効ラインを好適に表示することが可能となる。また実施例や変更例では、ベルト式図柄表示装置を例示したが、本願の有効ライン表示構造が対象とする図柄表示装置は、ドラム式図柄表示装置および液晶式図柄表示装置等も含まれることは勿論である。
【００４６】
【発明の効果】
以上説明した如く、本願の請求項１の発明に係る図柄表示装置の有効ライン表示構造によれば、光源からの照射光を、透視板体を構成する透明板に設けた溝部の反射面で反射させ、これにより明輝した該溝部で有効ラインを表示するようにしたから、有効ラインが鮮明に表示されて視認性が向上する利点がある。しかも、前記透明板に形成した各溝部は、前記光源の近傍の端部では浅く、該光源から離間するに従って徐々に深くなるように形成されると共に、反射面が所要の色に着色されているから、有効ラインは所要の色で明輝した反射面により鮮やかに表示される。また請求項２に係る有効ライン表示構造においても、透明板に配設した表示部材に形成した各溝部は、前記光源の近傍の端部では浅く、該光源から離間するに従って徐々に深くなるように形成されると共に、該溝部の反射面を着色してあるから、光源からの照射光により反射面は所要の色に明輝し、有効ラインを所要の色で鮮やかに表示することができる。
【００４７】
請求項３に係る有効ライン表示構造では、溝部が表示部材の一方の側端面から他方の側端面に向かうにつれて透明板の外面に徐々に近接するよう、平面視において斜めの直線状に形成されているから、光源からの照射光が溝部の反射面で好適に反射するようになる。請求項４に係る有効ライン表示構造では、光反射率の高い塗料で反射面を着色することで、光源からの照射光が反射面で効率良く反射し、有効ラインをより鮮明に表示することができる。また請求項５に係る有効ライン表示構造では、反射面を紫外線の照射によって発色する紫外線発色塗料により着色すると共に、光源として紫外線照射装置を用いることで、該紫外線照射装置から照射される不可視光線である紫外線により反射面が発色するから、遊技者に紫外線照射装置からの光を感じさせることなく、有効ラインを明確に表示することができ、一種独特の雰囲気を醸し出すことが可能となる。
【図面の簡単な説明】
【図１】本発明の第１実施例に係る図柄表示装置の有効ライン表示構造を示す概略斜視図である。
【図２】第１の透明板および第２の透明板を前後に重ね合わせることで、図１に示した透視板体を形成する状態を示す斜視図である。
【図３】図１に示した有効ライン表示構造を実施した図柄表示装置を、大型装飾部品を取付けた遊技盤の裏側に搭載した状態で示す縦断側面図である。
【図４】透視板体を構成する各透明板の形態を示す概略斜視図であって、(ａ)は３本の溝部を形成した第１の透明板を例示し、(ｂ)は２本の溝部をクロスした状態で形成した第２の透明板を例示し、(ｃ)は右傾斜の溝部を形成した第３の透明板を例示し、(ｄ)は左傾斜の溝部を形成した第４の透明板を例示している。
【図５】透明板の両側端面に配設したＬＥＤランプからの照射光が溝部を形成する反射面で反射して該透明板の表面側へ出光することで、該溝部が明輝して有効ラインを表示する態様を示す説明断面図である。
【図６】透明板の左側端面および右側端面に隣接してＬＥＤランプを夫々配設した場合において、溝部が両側端面から中央部に向けて前面側に偏倚するよう設定されることで、ＬＥＤランプからの照射光が反射面に対して所要角度で到達して反射され易くなることを示す説明断面図である。
【図７】第１実施例の変更例に係る図柄表示装置の有効ライン表示構造を示す概略斜視図である。
【図８】第１の透明板、第３の透明板および第４の透明板を前後に重ね合わせることで、図７に示した透視板体を形成する状態を示す斜視図である。
【図９】本発明の第２実施例に係る図柄表示装置の有効ライン表示構造を示す概略斜視図である。
【図１０】第１の透明板および第２の透明板を前後に重ね合わせることで、図９に示した透視板体を形成する状態を示す斜視図である。
【図１１】透視板体を構成する各透明板の形態を示す概略斜視図であって、(ａ)は溝部を形成した３枚の表示部材を配設した第１の透明板を例示し、(ｂ)は溝部を形成した２枚の表示部材をクロスした状態で配設した第２の透明板を例示し、(ｃ)は溝部を形成した表示部材を右傾斜状態で配設した第３の透明板を例示し、(ｄ)は溝部を形成した表示部材を左傾斜状態で配設した第４の透明板を例示している。
【図１２】透明板の左側端面および右側端面に隣接してＬＥＤランプを夫々配設した場合において、溝部が左側端面から右側端面に向かうにつれて前面側に傾斜するよう設定されることで、ＬＥＤランプからの照射光が反射面に対して所要角度で到達して反射され易くなることを示す説明図である。
【図１３】第２実施例の変更例に係る図柄表示装置の有効ライン表示構造を示す概略斜視図である。
【図１４】第１の透明板、第３の透明板および第４の透明板を前後に重ね合わせることで、図１３に示した透視板体を形成する状態を示す斜視図である。
【図１５】図柄表示装置を裏側に設置したパチンコ機の遊技盤を示す正面図である。
【図１６】図１５に示した遊技盤を図柄表示装置の設置部位で縦断して示す側面図である。
【図１７】３列×３段で合計９個の図柄を図柄表示部に停止表示する図柄表示装置の場合に、特定の図柄組合わせが成立可能な有効ラインを、大型装飾部品の透視窓部に配設した透視板体に形成した状態を示す説明図である。
【符号の説明】
２７  図柄
３０  図柄表示部
３１  透視板体
３２(３２ａ〜３２ｊ)  ＬＥＤランプ(光源)
３３  透明板
３３Ａ  第１の透明板
３３Ｂ  第２の透明板
３３Ｃ  第３の透明板
３３Ｄ  第４の透明板
３４  表示部材
３５  溝部(輝部)
３５Ａ  (第１の透明板の)溝部(輝部)
３５Ｂ  (第１の透明板の)溝部(輝部)
３５Ｃ  (第１の透明板の)溝部(輝部)
３５Ｄ  (第２,３透明板の)溝部(輝部)
３５Ｅ  (第２,４透明板の)溝部(輝部)
３８  反射面
３９  左側端面(一方の側端面、他方の側端面)
４０  右側端面(他方の側端面、一方の側端面)
Ｌ１  第１有効ライン
Ｌ２  第２有効ライン
Ｌ３  第３有効ライン
Ｌ４  第４有効ライン
Ｌ５  第５有効ライン
【図１】
0004707907.tif 000002
【図２】
0004707907.tif 000003
【図３】
0004707907.tif 000004
【図４】
0004707907.tif 000005
【図５】
0004707907.tif 000006
【図６】
0004707907.tif 000007
【図７】
0004707907.tif 000008
【図８】
0004707907.tif 000009
【図９】
0004707907.tif 000010
【図１０】
0004707907.tif 000011
【図１１】
0004707907.tif 000012
【図１２】
0004707907.tif 000013
【図１３】
0004707907.tif 000014
【図１４】
0004707907.tif 000015
【図１５】
0004707907.tif 000016
【図１６】
0004707907.tif 000017
【図１７】
0004707907.tif 000018